(57)【要約】【課題】副走査ビームピッチを簡単に、かつ精度よく補正できる光走査装置、画像形成装置を提供する。【解決手段】ＬＤ光源部２２と、ポリゴンミラー２５との間に副走査方向にのみパワーを有するシリンドリカルレンズＬ１，Ｌ２を設け、これらシリンドリカルレンズＬ１，Ｌ２の位置を移動台２４１，２４２，ラック２４３，２４４，ギヤ２４５，ガイドレール２４６，２４７により一定の割合で移動させ、副走査ビームピッチの補正を行う。【選択図】図３
2009210760.tif 000002
【特許請求の範囲】
【請求項１】
光を発する光源部と、
前記光源部が発する光を第1の走査方向に走査する偏向器と、
前記光源部と前記偏向器との間に配置され、光軸を基準として前記第１の走査方向と垂直な方向である第２の走査方向にパワーを有する複数の光学素子を有する光学系と、
前記光学系が有する複数の前記光学素子の位置を所定の関係に従い移動させる移動部と、
を備える光走査装置。
【請求項２】
請求項１に記載の光走査装置において、
前記光学素子は、前記第２の走査方向にのみパワーを有すること、
を特徴とする光走査装置。
【請求項３】
請求項１に記載の光走査装置において、
前記光学素子は、シリンドリカルレンズ又はトーリックレンズであること、
を特徴とする光走査装置。
【請求項４】
請求項１から請求項３までのいずれか１項に記載の光走査装置において、
前記光学系は、前記第２の走査方向で前記光を拡大及び縮小するズーム光学系であること、
を特徴とする光走査装置。
【請求項５】
請求項１から請求項４までのいずれか１項に記載の光走査装置において、
前記移動部は、前記光学素子の光軸方向の位置を一定の割合で移動させること、
を特徴とする光走査装置。
【請求項６】
請求項１から請求項５までのいずれか１項に記載の光走査装置において、
前記移動部は、
前記光学系を駆動する駆動部と、
前記光学系の位置を検出する位置検出部と、
を有することを特徴とする光走査装置。
【請求項７】
請求項１から請求項６までのいずれか１項に記載の光走査装置において、
前記光源部は、複数の光束を発すること、
を特徴とする光走査装置。
【請求項８】
請求項１から請求項７までのいずれか１項に記載の光走査装置を備え、
前記光走査装置により走査される光に基づいて画像を形成する画像形成装置。
【発明の詳細な説明】
【技術分野】
【０００１】
本発明は、複写機、プリンタ、ファクシミリ、及びそれらを複合した複合機等に用いられる光走査装置、及び、これら画像形成装置に関するものである。
【背景技術】
【０００２】
この種の画像形成装置において、感光体を露光する光の走査速度向上のため複数のＬＤ（Laser Diode）光源を備えるマルチビーム型の光走査装置が知られている。この種の装置では、複数の光源から発せられるビームの間隔（ビームピッチ）を所定の間隔とすることが要求される。
マルチビーム型の光走査装置において、副走査方向のビームピッチを調整する方法が特許文献１に記載されている。
しかし、特許文献１に記載されている方法では、光源部モジュールのビス締め固定時に、光源部モジュールが位置変化してしまうことにより、副走査方向のビームピッチがずれ、画像品質が低下してしまうという問題があった。
【０００３】
また、コリメート光学系と光偏向器との間に走査方向と垂直な方向にのみパワーを有するシリンドリカルレンズを少なくとも２つ設け、シリンドリカルレンズの光軸方向の位置を変化させ、単一の光ビームのスポット径を調整する技術が特許文献２に開示されている。この特許文献２では、光ビームのスポット径を調整することにより、ＬＤ光源の光ビームの広がり角が製造ロットによりばらつく問題や、機種によって異なる記録密度の違いに対応可能させることを目的としている。
しかし、特許文献２に開示されている技術は、シリンドリカルレンズの位置をいかにして変化させるのかについての記載もその示唆もない。近年の画像形成装置では、要求される解像力が非常に高くなっていることから、特許文献２に開示されている技術をビームピッチの調整に用いようとしても、複数のシリンドリカルレンズの位置関係が僅かにずれただけでビームピッチがばらつくと共に、焦点位置も移動してしまい、シリンドリカルレンズの位置を定めることが困難であるという問題があった。
【特許文献１】特許第３１９３７４２号公報
【特許文献２】特開平３−１１０５１４号公報
【発明の開示】
【発明が解決しようとする課題】
【０００４】
本発明の課題は、副走査ビームピッチを簡単に、かつ精度よく補正できる光走査装置、画像形成装置を提供することである。
【課題を解決するための手段】
【０００５】
本発明は、以下のような解決手段により、前記課題を解決する。なお、理解を容易にするために、本発明の実施形態に対応する符号を付して説明するが、これに限定されるものではない。
請求項１の発明は、光を発する光源部（２２）と、前記光源部が発する光を第1の走査方向に走査する偏向器（２５）と、前記光源部と前記偏向器との間に配置され、光軸を基準として前記第１の走査方向と垂直な方向である第２の走査方向にパワーを有する複数の光学素子（Ｌ１，Ｌ２）を有する光学系と、前記光学系が有する複数の前記光学素子の位置を所定の関係に従い移動させる移動部（２４１，２４２，２４３，２４４，２４５，２４６，２４７）と、を備える光走査装置（２０）である。
請求項２の発明は、請求項１に記載の光走査装置において、前記光学素子（Ｌ１，Ｌ２）は、前記第２の走査方向にのみパワーを有すること、を特徴とする光走査装置（２０）である。
請求項３の発明は、請求項１に記載の光走査装置において、前記光学素子（Ｌ１，Ｌ２）は、シリンドリカルレンズ又はトーリックレンズであること、を特徴とする光走査装置（２０）である。
請求項４の発明は、請求項１から請求項３までのいずれか１項に記載の光走査装置において、前記光学系（Ｌ１，Ｌ２）は、前記第２の走査方向で前記光を拡大及び縮小するズーム光学系であること、を特徴とする光走査装置（２０）である。
請求項５の発明は、請求項１から請求項４までのいずれか１項に記載の光走査装置において、前記移動部（２４１，２４２，２４３，２４４，２４５，２４６，２４７）は、前記光学素子（Ｌ１，Ｌ２）の光軸方向の位置を一定の割合で移動させること、を特徴とする光走査装置（２０）である。
請求項６の発明は、請求項１から請求項５までのいずれか１項に記載の光走査装置において、前記移動部（２４１，２４２，２４３，２４４，２４５，２４６，２４７）は、前記光学系（Ｌ１，Ｌ２）を駆動する駆動部（２４８）と、前記光学系の位置を検出する位置検出部（２４８）と、を有することを特徴とする光走査装置（２０）である。
請求項７の発明は、請求項１から請求項６までのいずれか１項に記載の光走査装置において、前記光源部（２２）は、複数の光束を発すること、を特徴とする光走査装置（２０）である。
請求項８の発明は、請求項１から請求項７までのいずれか１項に記載の光走査装置（２０）を備え、前記光走査装置により走査される光に基づいて画像を形成する画像形成装置（１）である。
【発明の効果】
【０００６】
本発明によれば、以下の効果を奏することができる。
（１）光走査装置は、光源部と偏向器との間に配置され、光軸を基準として第１の走査方向と垂直な方向である第２の走査方向にパワーを有する複数の光学素子を有する光学系と、光学系が有する複数の光学素子の位置を所定の関係に従い移動させる移動部とを備えるので、第２の走査方向におけるビームピッチを簡単かつ正確に補正できる。
【０００７】
（２）光走査装置の光学素子は、第２の走査方向にのみパワーを有するので、第１の走査方向に影響を与えることなくビームピッチの補正を行える。
【０００８】
（３）光走査装置の光学素子は、シリンドリカルレンズ又はトーリックレンズであるので、簡単な構成で安価にビームピッチの補正を行える。
【０００９】
（４）光走査装置の光学系は、第２の走査方向で光を拡大及び縮小するズーム光学系であるので、ビームピッチの補正を行っても焦点位置が変わらず、容易にビームピッチの補正を行える。
【００１０】
（５）光走査装置の移動部は、光学素子の光軸方向の位置を一定の割合で移動させるので、簡単な構成で正確なビームピッチの補正を行える。
【００１１】
（６）光走査装置の移動部は、光学系を駆動する駆動部と、光学系の位置を検出する位置検出部とを有するので、装置の完成後においても、簡単かつ正確にビームピッチの補正を行える。
【００１２】
（７）光走査装置の光源部は、複数の光束を発するので、走査回数を減少でき、全体の走査速度を向上できる。
【発明を実施するための最良の形態】
【００１３】
以下、本発明を実施するための最良の形態について図面等を参照して説明する。
【００１４】
（第１実施形態）
図１は、本発明による光走査装置を用いた画像形成装置の第１実施形態を示す図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
本実施形態のプリンタ１は、作像部１０，光走査ユニット２０，定着部３０，用紙搬送部４０等を備えた画像形成装置である。
【００１５】
作像部１０は、感光体ドラム１１，帯電部１２，現像部１３，転写ローラ１４，ドラム清掃部１５等を備えている。
感光体ドラム１１は、回転可能に支持され、不図示のモータ等の駆動源により回転駆動される略円柱形状のユニットである。
感光体ドラム１１は、像担持体としてのアモルファスシリコン等からなる感光層を有しており、その表面には、外部から取得した画像データに基づいて後述の光走査ユニット２０により露光されて静電潜像が形成される。
【００１６】
帯電部１２は、感光体ドラム１１の表面を一様に帯電させる帯電器である。なお、図示しないが、帯電部１２により感光体ドラム１１を帯電させる前となる位置に、除電を行う除電部が設けられている。
現像部１３は、現像ローラ１３１，トナー等を有し、感光体ドラム１１の表面に形成された静電潜像をトナー画像として現像する部分である。
転写ローラ１４は、感光体ドラム１１と対向して配置されており、感光体ドラム１１との間に記録紙等の媒体を挟みながら回転して、感光体ドラム１１上のトナー画像を媒体に転写する。
ドラム清掃部１５は、不図示のクリーニングブレード等を有し、転写後の感光体ドラム１１上に残ったトナーを取り除く部分である。
【００１７】
光走査ユニット２０は、後述するＬＤ光源部２２が発するレーザ光を走査させて感光体ドラム１１の表面を露光させる光走査装置である。光走査ユニット２０の詳細については、後述する。
定着部３０は、定着ヒータを内蔵した加熱ローラ３２と、加熱ローラ３２に対して押圧している加圧ローラ３１とから構成され、搬送される記録紙等の媒体にトナーを定着させる機能を有している。
用紙搬送部４０は、媒体保持部４１，ピックアップローラ４２，給紙ローラ４３，搬送路ローラ４４，４５，４６，搬送路４７等を有している。
媒体保持部４１は、枚葉の記録紙等の媒体を多数枚重ねて保持する部分である。
ピックアップローラ４２は、媒体保持部４１の媒体表面に接触して回転し、媒体を一枚ずつ給紙ローラ４３へ送るローラである。
給紙ローラ４３は、ピックアップローラ４２から給紙された媒体をさばく機能を有した一対のローラであり、ピックアップローラ４２で送られる媒体が複数枚送られた場合に、媒体を一枚だけにさばく機能を有している。
搬送路ローラ４４，４５，４６は、搬送路４７の各所に配置され、搬送路４７中の媒体を搬送するローラである。搬送路ローラ４６の内で、作像部１０の直前に配置されているローラ４６ａは、媒体とトナー画像とのタイミングの補正、及び、媒体が斜め給紙（スキュー）された場合の補正を行う機能を有しており、レジストローラと呼ばれている。
搬送路４７は、媒体保持部４１から作像部１０と定着部３０とを介して排出される媒体が通過する通路である。
【００１８】
図２は、光走査ユニット２０の詳細を示す斜視図である。
光走査ユニット２０は、ベース部２１，ＬＤ光源部２２，コリメータ部２３，副走査ビームピッチ補正部２４，ポリゴンミラー２５，走査レンズ２６，２７，ＢＤセンサ２８，反射ミラー２９等を備えている。光走査ユニット２０は、上述したように、ＬＤ光源部２２が発するレーザ光を走査させるが、この走査方向を主走査方向（第１の走査方向）と呼び、レーザ光の光軸を基準として、この光軸に垂直で、かつ、主走査面に垂直な方向を副走査方向（第２の走査方向）と呼ぶこととする。すなわち、副走査方向とは、レーザ光を基準としてみたときの主走査方向に対する相対的な方向であり、絶対的な方向を指すものではない。
ベース部２１は、光走査ユニット２０の土台となる部材であり、遮光性を有した樹脂により形成されている。なお、ベース部２１には、不図示の蓋部材が取り付けられて、光走査ユニット２０内の光路を覆っている。
【００１９】
ＬＤ光源部２２は、外部から取得した画像データに基づき生成された画像データ信号をレーザ光に変調して発射する光源部である。このＬＤ光源部２２は、レーザ光の発射タイミング等の制御を行う不図示の回路基板に電気的に接続されている。また、ＬＤ光源部２２は、一つのＬＤチップから二つのレーザ光を発射する、モノリシック２ビームＬＤであり、波長６７０ｎｍのレーザ光を発射する。また、本実施形態のＬＤ光源部２２は、２つのビーム発射位置間の中心を軸として取り付け状態を回転させることができるように設けられている。よって、製造時には、取り付け状態を回転させることにより、副走査ビームピッチが狙いの値に近くなるようにして組み立てを行う。本実施形態では、６００ｄｐｉの解像度に対応するため、副走査ビームピッチが４２．３μｍとなるように回転させて取り付けを行う。
【００２０】
コリメータ部２３は、ＬＤ光源部２２から発射されたレーザ光が入射する位置に配置され、入射したレーザ光を平行光に変換する機能を有したユニットである。コリメータ部２３は、コリメータレンズ２３１と、絞り２３２とを有している（図４参照）。本実施形態では、コリメータレンズ２３１は、焦点距離１０ｍｍのレンズを用いている。
【００２１】
副走査ビームピッチ補正部２４は、ＬＤ光源部２２及びコリメータ部２３と後述のポリゴンミラー２５との間に配置され、ＬＤ光源部２２が発射する二つのレーザ光の副走査方向におけるビームピッチを補正する部分である。副走査ビームピッチ補正部２４の詳細は、後述する。
【００２２】
ポリゴンミラー２５は、正六角形の各辺に相当する部分に平面鏡を有し、正六角形の中心位置を回転中心として回転可能となっている偏向器である。ポリゴンミラー２５は、不図示のモータにより駆動されて所定方向（図２では時計回りの方向）に回転しながら副走査ビームピッチ補正部２４からのレーザ光を走査レンズ２６に向けて走査（偏向）する。
【００２３】
走査レンズ２６，２７は、ポリゴンミラー３３で走査されたレーザ光を感光体ドラム１１上で等速走査させる光学系であり、ｆθレンズとも呼ばれている。
ＢＤ（Beam Detect）センサ２８は、ポリゴンミラー２５で走査されたのち走査レンズ２６，２７を通って走査レンズ２７の走査開始端近傍から出射するレーザ光を受光可能な位置に配置されており、その受光面がレーザ光を受光することにより水平同期信号が取得される。
反射ミラー２９は、走査レンズ２７からのレーザ光を感光体ドラム１１に導くように反射する鏡である。
【００２４】
図３は、副走査ビームピッチ補正部２４を示す斜視図である。なお、図３〜図５には、理解を容易にするために、ＸＹＺ直交座標を併記している。この座標系では、ＬＤ光源部２２からポリゴンミラー２５へ向かう方向をｙプラス方向とした。また、ｚ軸を設けた図３中で上下方向となる方向は、副走査方向に対応する方向であり、図３の上方をｚプラス方向とした。さらに、ｙ軸及びｚ軸に直交する方向にｘ軸を設けた。
図４は、副走査ビームピッチ補正部２４をｘプラス方向から見た図である。
図５は、副走査ビームピッチ補正部２４をｙマイナス方向、及び、ｚプラス方向から見た図である。図５（ａ）が副走査ビームピッチ補正部２４をｙマイナス方向から見た状態を示し、図５（ｂ）が副走査ビームピッチ補正部２４をｚプラス方向から見た状態を示している。なお、図５では、シリンドリカルレンズＬ１，Ｌ２を省略して示している。
【００２５】
本実施形態の副走査ビームピッチ補正部２４は、シリンドリカルレンズＬ１，Ｌ２と、これらを移動させる移動部として移動台２４１，２４２，ラック２４３，２４４，ギヤ２４５，ガイドレール２４６，２４７等を有している。
シリンドリカルレンズＬ１，Ｌ２は、入射側のレンズ面が円筒面に形成され、副走査方向（図ではｚ軸に沿った方向）にのみパワーを有した光学素子である。
ここで、ＬＤ光源部２２，コリメータレンズ２３１，シリンドリカルレンズＬ１，Ｌ２の仕様を以下の表１にまとめて示す。
【表１】
2009210760.tif 000003
【００２６】
シリンドリカルレンズＬ１は、入射側のレンズ面（１面目）の面形状がＲ８６．５ｍｍの円筒面であり、出射側のレンズ面（２面目）が平面であり、１面目と２面目との距離（面間距離）が３ｍｍとなるように、ＢＫ７（ホウケイ酸クラウン光学ガラス）により形成されている。
シリンドリカルレンズＬ２はシリンドリカルレンズＬ１と同一の形状のレンズである。シリンドリカルレンズＬ２は、シリンドリカルレンズＬ１の２面目から１５ｍｍの位置に１面目が位置するように配置されるのが、設計狙いの位置である。ここで、設計狙いとは、ＬＤ光源部２２やコリメータレンズ２３１等、全ての部品が部品公差ばらつきや取り付け誤差などを含まない理想的な寸法関係になっている場合を示している。
シリンドリカルレンズＬ１，Ｌ２からなる光学系を通過したレーザ光は、シリンドリカルレンズＬ２の２面目から７７．８６ｍｍの位置に焦点を持つことが設計狙いであり、この位置に像面、すなわちポリゴンミラー３３のミラー面が配置される。
シリンドリカルレンズＬ１とシリンドリカルレンズＬ２とは、それぞれ移動台２４１，２４２に支持されている。
【００２７】
移動台２４１，２４２は、いずれもガイドレール２４６，２４７によりｙ軸方向でスライド移動可能となるように設けられており、ｚプラス側にそれぞれシリンドリカルレンズＬ１，Ｌ２が取り付けられている。また、移動台２４１，２４２のｚマイナス側には、それぞれラック２４３，２４４が取り付けられている。
【００２８】
ラック２４３，２４４は、それぞれ移動台２４１，２４２に取り付けられているとともに、それぞれガイドレール２４６，２４７により案内されてｙ軸方向でスライド移動可能となるように設けられたラックギヤである。
ラック２４３のラックギヤ部２４３ａは、ギヤ２４５の大ギヤ２４５ａとかみ合い、ラック２４４のラックギヤ部２４４ａは、ギヤ２４５の小ギヤ２４５ｂとかみ合っている。また、ラックギヤ部２４３ａは、その歯面がｘマイナス側を向き、ラックギヤ部２４４ａは、その歯面がｘプラス側を向いている。したがって、ラック２４３がｙプラス方向に移動すると、ラック２４４は、ｙマイナス方向に移動する。
【００２９】
ギヤ２４５は、大ギヤ２４５ａと小ギヤ２４５ｂとを有した２段ギヤである。大ギヤ２４５ａと小ギヤ２４５ｂとの歯数比は、１０：４になっている。
ガイドレール２４６，２４７は、不図示の嵌合形状により移動台２４１及び移動台２４２と、ラック２４３，２４４と嵌合しており、移動台２４１及び移動台２４２の移動を案内すると共に、それぞれラック２４３，２４４の移動を案内する部材である。なお、図３では、ガイドレール２４６の一部を切断して示している。
【００３０】
ラック２４３，２４４とギヤ２４５とは、シリンドリカルレンズＬ１，Ｌ２の位置が設計狙いの位置、すなわち表１に示した位置とすることができるように、それぞれの位置を整合した状態でかみ合わせて組み立てられている。また、ガイドレール２４７には、シリンドリカルレンズＬ１，Ｌ２の設計狙いの位置を示す指標が設けられている。この、移動台２４１，２４２に設けられた指標をガイドレール２４７の指標に合わせることにより、シリンドリカルレンズＬ１，Ｌ２の位置を設計狙いの位置に配置させることができる。
【００３１】
（副走査ビームピッチの補正）
次に、副走査ビームピッチ補正部２４を用いた副走査ビームピッチの補正について説明する。
本実施形態では、先に述べたように、ＬＤ光源部２２の取り付け状態を回転させてビームピッチが設計狙い（４２．３μｍ）となるようにしているが、ＬＤ光源部２２の取り付けを行うときに、僅かにずれてしまう場合がある。本実施形態では、ＬＤ光源部２２が０．１°回転すると副走査ビームピッチが約１μｍ部材の変化に合わせて動いてしまう。
【００３２】
そこで、本実施形態では、製造工程中において、ＬＤ光源部２２の取り付け後に、光走査ユニット２０単体の状態での副走査ビームピッチの補正を行う。
副走査ビームピッチの補正を行うには、まず、光走査ユニット２０を不図示の補正用治具にセットする。この補正用治具には、ＣＣＤ（Charge Coupled Device）やＣＭＯＳ（Complementary Metal Oxide Semiconductor）等の光センサが設けられている。補正用治具に光走査ユニット２０をセットすると、プリンタ１完成品状態において感光体ドラム１１の表面が配置される位置に光センサの受光部が配置される。
【００３３】
次に、シリンドリカルレンズＬ１，Ｌ２の位置が設計狙いの位置に有ることを確認し、ＬＤ光源部２２からレーザ光を発射して、２つのレーザ光の副走査ビームピッチを光センサの検出結果から取得する。なお、このビームピッチの測定は、ポリゴンミラー２５を停止させた状態で行ってもよいし、ポリゴンミラー２５を回転させた状態で行ってもよい。これらは、補正用治具の光センサにどのようなセンサを用いるかにより、適宜選択可能である。
【００３４】
上記補正用治具により測定したビームピッチが設計狙いからずれていた場合、シリンドリカルレンズＬ１とＬ２を移動させる。このとき、ギヤ２４５の大ギヤ２４５ａと小ギヤ２４５ｂとの歯数比が１０：４になっているので、シリンドリカルレンズＬ１及びＬ２の光軸方向の位置を一定の割合で線形に移動させることができる。すなわち、シリンドリカルレンズＬ１がｙプラス方向に１０ｍｍ移動すると、シリンドリカルレンズＬ２はｙマイナス方向に４ｍｍ移動する。この１０：４の移動量の関係は、シリンドリカルレンズＬ１，Ｌ２の光学設計に合わせて決められたものである。本実施形態では、この関係を保ってシリンドリカルレンズＬ１，Ｌ２が移動すれば、焦点位置のずれ量が性能上問題とならないレベル（実質的にゼロとみなせるレベル）となるように、シリンドリカルレンズＬ１，Ｌ２の光学設計がなされている。
【００３５】
このような構成及び動作により、シリンドリカルレンズＬ１，Ｌ２からなる光学系をズーム光学系として機能させることができる。
調整動作としては、シリンドリカルレンズＬ１，Ｌ２の一方を移動させれば、他方のシリンドリカルレンズが対応する移動量だけ移動し、副走査方向においてビームピッチを拡大又は縮小する。このとき、補正用治具の光センサにより副走査ビームピッチを測定しているので、狙い通りのビームピッチに合わせ込むことができる。
【００３６】
図６は、副走査ビームピッチ補正部２４を用いて副走査ビームピッチの補正を行ったときの結果を示す図である。
図６に示すように、副走査ビームピッチが−２μｍ〜＋２μｍの範囲でずれたとしても、補正後は、狙い値に対して０．１μｍのズレでおさまっている。
副走査ビームピッチの補正後は、ラック２４３，２４４とギヤ２４５とのかみ合い部分等を接着固定することにより、補正状態で固定する。
本実施形態によれば、ラック２４３，２４４とギヤ２４５とのかみ合いを利用した移動部を有した副走査ビームピッチ補正部２４により、シリンドリカルレンズＬ１，Ｌ２からなる光学系をズーム動作可能な形態としたので、副走査ビームピッチの補正を簡単かつ高精度に行える。
【００３７】
（第２実施形態）
図７は、第２実施形態の副走査ビームピッチ補正部２４−２を示す斜視図である。
第２実施形態の副走査ビームピッチ補正部２４−２は、駆動部２４８を備えている他は、第１実施形態の副走査ビームピッチ補正部２４と同様な形態となっている。したがって、第１実施形態と同様の機能を果たす部分には、同一の符号を付して、重複する説明を適宜省略する。
駆動部２４８は、ギヤ２４５に接続されており、ギヤ２４５を駆動する駆動力を発生するモータと、モータの駆動力を減速する減速機と、モータの回転量を検出することによりシリンドリカルレンズＬ１，Ｌ２の位置を検出する位置検出部としてのエンコーダとを内部に備えている（いずれも図示せず）。
【００３８】
第２実施形態の副走査ビームピッチ補正部２４は、駆動部２４８を備えていることから、第１実施形態で示したようなプリンタの製造工程中における副走査ビームピッチの補正の他、完成品のプリンタについて、その使用途中であっても、容易に副走査ビームピッチの補正を行える。例えば、印字結果で主走査方向に対応する方向に線状の印字不良が生じた場合、副走査ビームピッチのズレが生じている疑いがある。そのような場合に、副走査ビームピッチのズレを強調するテストプリントを印字し、その印字結果に基づいて、副走査ビームピッチの補正量を数値入力する。そして、入力された補正量に応じて駆動部２４８がシリンドリカルレンズＬ１，Ｌ２を駆動すれば、副走査ビームピッチの補正を行うことができ、副走査ビームピッチのズレに起因する印字不良を容易に解消できる。
このように、第２実施形態によれば、駆動部２４８を備え、この駆動部２４８がエンコーダを有していることから、プリンタが完成した後においても容易に副走査ビームピッチの補正を行うことができる。
【００３９】
（変形形態）
以上説明した実施形態に限定されることなく、種々の変形や変更が可能であって、それらも本発明の範囲内である。
（１）各実施形態において、ラックとギヤとの組み合わせにより、シリンドリカルレンズＬ１，Ｌ２をいずれも一定の割合で線形に移動させる例を示したが、これに限らず、例えば、カム等、他の機構を利用してこれらを移動させてもよいし、移動経路についても、一方又は双方を非線形に移動させてもよい。
【００４０】
（２）各実施形態において、副走査方向にのみパワーを持つシリンドリカルレンズを２枚用いて副走査ビームピッチの補正を行う例を示したが、これに限らず、例えば、主走査方向についてもパワーを有したトーリックレンズ等の他の形態の光学素子として用いてもよい。
【００４１】
（３）各実施形態において、シリンドリカルレンズを２枚使用する例を示したが、これに限らず、例えば、シリンドリカルレンズ等の光学素子を３枚以上使用してもよい。
【００４２】
（４）第２実施形態において、駆動部２４８にエンコーダを備える例を示したが、これに限らず、例えば、移動台２４１，２４２にエンコーダを設けてもよい。
【００４３】
（５）各実施形態において、モノクロタイプのプリンタを例に挙げて説明したが、これに限らず、例えば、複数の作像ユニットが設けられたフルカラータイプのプリンタであってもよいし、プリンタに限らず、複写機，ファクシミリ、又はこれらを複合した複合機であってもよい。
なお、第１実施形態〜第３実施形態及び変形形態は、適宜組み合わせて用いることもできるが、詳細な説明は省略する。また、本発明は以上説明した各実施形態によって限定されることはない。
【図面の簡単な説明】
【００４４】
【図１】本発明による光走査装置を用いた画像形成装置の第１実施形態を示す図である。
【図２】光走査ユニット２０の詳細を示す斜視図である。
【図３】副走査ビームピッチ補正部２４を示す斜視図である。
【図４】副走査ビームピッチ補正部２４をｘプラス方向から見た図である。
【図５】副走査ビームピッチ補正部２４をｙマイナス方向、及び、ｚプラス方向から見た図である。
【図６】副走査ビームピッチ補正部２４を用いて副走査ビームピッチの補正を行ったときの結果を示す図である。
【図７】第２実施形態の副走査ビームピッチ補正部２４−２を示す斜視図である。
【符号の説明】
【００４５】
１    プリンタ
１０  作像部
１１  感光体ドラム
１２  帯電部
１３  現像部
１４  転写ローラ
１５  ドラム清掃部
２０  光走査ユニット
２１  ベース部
２２  ＬＤ光源部
２３  コリメータ部
２４，２４−２  副走査ビームピッチ補正部
２５  ポリゴンミラー
２６，２７  走査レンズ
２８  ＢＤセンサ
２９  反射ミラー
３０  定着部
４０  用紙搬送部
Ｌ１，Ｌ２  シリンドリカルレンズ
２４１，２４２  移動台
２４３，２４４  ラック
２４５  ギヤ
２４６，２４７  ガイドレール
【図１】
2009210760.tif 000004
【図２】
2009210760.tif 000005
【図３】
2009210760.tif 000006
【図４】
2009210760.tif 000007
【図５】
2009210760.tif 000008
【図６】
2009210760.tif 000009
【図７】
2009210760.tif 000010